(57)【要約】【課題】構造が簡単で、製造および稼働コストを低減することができる給気用水フィルタ装置および給気浄化方法を提供する。【解決手段】給気路１４と水収容部１６と隔壁１２とフィルタ板１３とを有する。給気路１４は、吸気口１４ａと給気口１４ｂとを有する。水収容部１６は、給気路１４の内部で吸気口１４ａと給気口１４ｂとの間に設けられている。隔壁１２は、給気路１４の内部で水収容部１６に収容される水の水面との間に水しぶき１７をあげて通気可能な間隙１８をあけて、吸気口１４ａと給気口１４ｂとの間を遮るよう配置されている。フィルタ板１３は、複数の板材１１ａを通気可能な間隔をあけて交互に配置して成り、水収容部１６の上方に給気路１４を遮断するよう設けられている。フィルタ板１３は、間隙１８での通気により発生する水しぶきを遮るとともに、通気することができるようになっている。【選択図】図１
2004190932.tif 000002
【特許請求の範囲】
【請求項１】
給気路と水収容部と隔壁とを有し、
前記給気路は吸気口と給気口とを有し、
前記水収容部は前記給気路の内部で前記吸気口と前記給気口との間に設けられ、
前記隔壁は前記給気路の内部で前記水収容部に収容される水の水面との間に水しぶきをあげて通気可能な間隙をあけて前記吸気口と前記給気口との間を遮るよう配置されていることを、
特徴とする給気用水フィルタ装置。
【請求項２】
前記給気路の内部の前記間隙と前記給気口との間に、前記間隙での通気により発生する水しぶきを遮る通気可能なフィルタ板を有することを、特徴とする請求項１記載の給気用水フィルタ装置。
【請求項３】
前記フィルタ板は複数の板材を通気可能な間隔をあけて交互に配置して成り、前記水収容部の上方に前記給気路を遮断するよう設けられていることを、特徴とする請求項２記載の給気用水フィルタ装置。
【請求項４】
回転羽根を有し、前記回転羽根は前記給気路の内部で回転軸を前記水面に沿わせ、一部を前記水面より下に配置して前記間隙での通気により回転するよう設けられていることを、特徴とする請求項１，２または３記載の給気用水フィルタ装置。
【請求項５】
前記水収容部に収容される水の加熱装置または冷却装置を有することを、特徴とする請求項１，２，３または４記載の給気用水フィルタ装置。
【請求項６】
吸気口と給気口とを有する給気路の内部で前記吸気口と前記給気口との間に水を収容し、前記給気路の内部で隔壁により前記水の水面との間に間隙をあけて前記吸気口と前記給気口との間を遮り、その間隙を通して水しぶきをあげて通気させることを特徴とする給気浄化方法。
【発明の詳細な説明】
【０００１】
【発明の属する技術分野】
本発明は、一般家庭や事務所などで用いられる給気用水フィルタ装置および給気浄化方法に関する。
【０００２】
【従来の技術】
従来の給気用水フィルタ装置および給気浄化方法は、隔壁が水収容部に収容される水に所定量だけ浸漬しており、給気口から空気を吸引すると、吸気口から吸入された空気が水中を通過して、空気中の分散粒子等が水中に捕捉されるようになっている（例えば、特許文献１，２参照。）。また、隔壁の下縁部に多数設けられた空隙の下端側の一部が水面下に没しており、空気を吸引すると、水が攪拌されて空隙部分に水膜を形成し、空気が水膜を通過する際に、空気中の油煙や臭いが水膜中に分離するものもある（例えば、特許文献３参照。）。さらに、排気パネルの上部に水を汲み上げ、空気の吸引により、排気パネルを通過する空気が水をバブリングして空気中の油脂分を水中に分離するものもある（例えば、特許文献４参照）。
【０００３】
【特許文献１】
特開平１−１５９０１５号公報
【特許文献２】
登録実用新案第３００４７３４号公報
【特許文献３】
特開平７−３１８２３号公報
【特許文献４】
特開平１０−２１６４４７号公報
【０００４】
【発明が解決しようとする課題】
しかしながら、従来の給気用水フィルタ装置および給気浄化方法では、空気が水中を通過するためには、給気口から空気を吸引する力を強くする必要があり、装置の稼働時に電気代等のコストが嵩むという課題があった（例えば、特許文献１，２参照。）。また、隔壁の下縁部に空隙を設ける場合には、隔壁の形状が複雑となり、製造コストが嵩むという課題があった（例えば、特許文献３参照。）。さらに、排気パネルの上部に水を汲み上げる場合には、装置全体の構造が複雑化し、製造コストおよび汲み上げ装置の稼働コストが嵩むという課題があった（例えば、特許文献４参照）。
【０００５】
本発明は、このような従来の課題に着目してなされたもので、構造が簡単で、製造および稼働コストを低減することができる給気用水フィルタ装置および給気浄化方法を提供することを目的とする。
【０００６】
【課題を解決するための手段】
上記目的を達成するために、本発明に係る給気用水フィルタ装置は、給気路と水収容部と隔壁とを有し、前記給気路は吸気口と給気口とを有し、前記水収容部は前記給気路の内部で前記吸気口と前記給気口との間に設けられ、前記隔壁は前記給気路の内部で前記水収容部に収容される水の水面との間に水しぶきをあげて通気可能な間隙をあけて前記吸気口と前記給気口との間を遮るよう配置されていることを、特徴とする。
【０００７】
本発明に係る給気浄化方法は、吸気口と給気口とを有する給気路の内部で前記吸気口と前記給気口との間に水を収容し、前記給気路の内部で隔壁により前記水の水面との間に間隙をあけて前記吸気口と前記給気口との間を遮り、その間隙を通して水しぶきをあげて通気させることを特徴とする。
【０００８】
本発明に係る給気用水フィルタ装置および給気浄化方法では、吸気口を室内に、給気口を室外に設置しても良く、吸気口を室外に、給気口を室内に設置しても良い。また、吸気口および給気口をともに室内に設置しても良い。
【０００９】
本発明に係る給気用水フィルタ装置および給気浄化方法では、吸気口から空気を吸引し、給気路を通して給気口から空気を排出する。この場合、吸気口で空気を吸引して給気口側へ送風しても、給気口より下流で吸気口側から空気を吸引しても良い。
【００１０】
本発明に係る給気用水フィルタ装置および給気浄化方法では、隔壁と水収容部に収容される水の水面との間隙を、水しぶきをあげて通気させるため、空気中の塵埃等が水しぶきに吸着されて、空気を浄化することができる。また、水しぶきの間を通った空気が供給されるため、供給される空気の湿度を高めることができる。
【００１１】
本発明に係る給気用水フィルタ装置および給気浄化方法では、隔壁と水収容部に収容される水の水面との間に間隙があいている。このため、水中を通して空気を通気させる場合に比べて、空気の吸引力が弱くても容易に通気することができ、空気の吸引に用いるファンの電気代等の稼働コストを低減することができる。また、隔壁に空隙を設けるなどの複雑な加工や、汲み上げ装置などの付加的な装置を必要としないため、装置の構造が簡単となり、製造および稼働コストを低減することができる。
【００１２】
本発明に係る給気用水フィルタ装置および給気浄化方法は、通気の際に水しぶきをあげるため、マイナスイオンを発生させることができる。マイナスイオンは、人体の免疫力や自然治癒力を高める効果等があるといわれており、室内に供給することにより居住者の健康に資することができる。
【００１３】
本発明に係る給気用水フィルタ装置は、前記給気路の内部の前記間隙と前記給気口との間に、前記間隙での通気により発生する水しぶきを遮る通気可能なフィルタ板を有することが好ましい。この構成では、空気中の塵埃等を吸着した水しぶきは、フィルタ板によって遮られる。水しぶきに吸着されなかった空気中の塵埃等は、水しぶきがフィルタ板に当たって流れる水の膜に吸着させることができる。このため、フィルタ板の間隙から、浄化した空気のみを給気口側へと通気させることができる。
【００１４】
また、本発明に係る給気用水フィルタ装置では、前記フィルタ板は複数の板材を通気可能な間隔をあけて交互に配置して成り、前記水収容部の上方に前記給気路を遮断するよう設けられていることが好ましい。この構成では、フィルタ板によって遮られた水しぶきは、塵埃等を吸着した状態でフィルタ板をつたって水収容部の中へと流れる。このため、稼動中は、給気路の内部を常に浄化しておくことができる。水収容部の水を清浄水と入れ替えれば、吸着した塵埃等を水とともに給気路の内部から除去することができる。水収容部の水は、常に一定量の給水および排水を行うようにしても、所定時間ごとに入れ替えるようにしてもよい。
【００１５】
本発明に係る給気用水フィルタ装置は、回転羽根を有し、前記回転羽根は前記給気路の内部で回転軸を前記水面に沿わせ、一部を前記水面より下に配置して前記間隙での通気により回転するよう設けられていてもよい。
【００１６】
本発明に係る給気用水フィルタ装置では、一部が水面下に配置された回転羽根が通気により回転するため、水しぶきがあがりやすい。このため、水しぶきの量が増えて、空気中の塵埃等が水しぶきに吸着される可能性が高くなり、効率的に空気を浄化することができる。
【００１７】
本発明に係る給気用水フィルタ装置は、前記水収容部に収容される水の加熱装置または冷却装置を有していてもよい。この場合、隔壁と加熱または冷却された水の水面との間隙を空気が通る際に、空気と水との間で熱交換が行われ、浄化された暖かい空気または冷たい空気を供給することができる。このため、この構成では、暖房効果または冷房効果をもたらすことができる。特に、冷却装置を用いた場合には、水しぶきが水蒸気になる時に周囲から気化熱を奪い、空気が冷やされるため、冷房効率を高めることができる。
【００１８】
【発明の実施の形態】
以下、図面に基づき、本発明の実施の形態について説明する。
図１乃至図４は、本発明の第１の実施の形態を示している。
図１に示すように、給気用水フィルタ装置１０は、本体１１と２枚の隔壁１２と２枚のフィルタ板１３とを有している。
【００１９】
図１に示すように、本体１１は、ステンレス製のほぼ直方体状の函体１１ａから成り、対向する２つの側面の上部にそれぞれ２つの吸気フード１１ｂを有し、４本の脚１１ｃにより支持されている。図１（Ｂ）に示すように、本体１１の上部中央には、給気ダクト接続部１１ｄが設けられている。函体１１ａの正面には、内部確認用の透明な窓が設けられている。本体１１の下面の中央には、水収容部の水を抜くための水抜き栓１１ｅが設けられており、本体１１の下面は水抜き栓１１ｅに向かってやや傾斜している。
【００２０】
本体１１は、内部に２つの吸気フード１１ｂから給気ダクト接続部１１ｄまで連通する給気路１４を有している。給気路１４は、吸気フード１１ｂに吸気口１４ａを有し、給気ダクト接続部１１ｄに給気口１４ｂを有している。吸気口１４ａは、吸気フード１１ｂにより下側を向いている。給気ダクト１５接続部１１ｄには、ステンレス製の給気ダクト１５が取り付けられている。給気ダクト１５の内部には、給気ファンが取り付けられている。これにより、給気口１４ｂから吸引された空気は、給気ダクト１５の内部を通って室内に供給されるようになっている。
【００２１】
図１（Ｂ）に示すように、本体１１の内側底部には、水収容部１６が形成されている。水収容部１６は、給気路１４の内部で吸気口１４ａと給気口１４ｂとの間に配置されている。水収容部１６には、通常、水を所定の高さまで貯めておく。水は、本体１１の水抜き栓１１ｅから排出することができる。
【００２２】
図１に示すように、２枚の隔壁１２は、それぞれステンレス製の矩形の板から成り、給気路１４の内部で本体１１の上面に吊り下げられて固定されている。各隔壁１２は、吸気口１４ａと給気口１４ｂとの間を遮るよう側面に対し平行に配置されている。各隔壁１２と各側面との間には、通気可能な間隔が設けられている。各隔壁１２は、上縁部および両側縁部が本体１１の内面に隙間がないよう密接して取り付けられている。隔壁１２は、その下縁部と水収容部１６に収容される水の水面との間に、水しぶき１７をあげて通気可能な間隙１８をあけて配置されている。
【００２３】
図３に示すように、各フィルタ板１３は、ステンレス製のバッフル型グリスフィルターから成り、複数の細長い板材１３ａを通気可能な間隔をあけて交互に配置して成っている。各板材１３ａは、断面がＣ字状をなしている。図１（Ａ）に示すように、フィルタ板１３は、複数の板材１３ａが縦方向にそれぞれ並列に取り付けられている。図１（Ｂ）に示すように、２枚のフィルタ板１３は、給気路１４の内部の間隙１８と給気口１４ｂとの間で、水収容部１６の上方に、給気路１４を遮断するように設けられている。各フィルタ板１３は、上縁部が本体１１の上面の隔壁１２に近い位置に取り付けられ、下縁部が互いに接続されて、互いに給気口１４ｂを挟んで断面がＶ字型をなしている。フィルタ板１３は、間隙１８での通気により発生する水しぶき１７を遮るとともに、吸気口１４ａから給気口１４ｂへ通気することができるようになっている。
【００２４】
次に、作用について説明する。
給気用水フィルタ装置１０は、屋外に設置され、給気口１４ｂが給気ダクト１５の一端に接続されている。給気ダクト１５は、他端が室内の換気口に接続されている。給気用水フィルタ装置１０は、給気ダクト１５内部の給気ファンを稼働させることにより稼働する。図２に示すように、給気用水フィルタ装置１０は、吸気口１４ａから屋外の空気を吸引し、給気路１４、給気口１４ｂおよび給気ダクト１５を通って室内に空気を供給する。
【００２５】
図２に示すように、給気用水フィルタ装置１０および給気浄化方法は、隔壁１２と水収容部１６に収容される水の水面との間隙１８を、水しぶき１７をあげて通気させるため、空気中の塵埃等が水しぶき１７に吸着されて、空気を浄化することができる。また、水しぶき１７の間を通った空気が供給されるため、供給される空気の湿度を高めることができる。
【００２６】
給気用水フィルタ装置１０および給気浄化方法は、隔壁１２と水収容部１６に収容される水の水面との間に間隙１８があいている。このため、水中を通して空気を通気させる場合に比べて、空気の吸引力が弱くても容易に通気することができ、空気の吸引に用いるファンの電気代等の稼働コストを低減することができる。また、隔壁１２に空隙を設けるなどの複雑な加工や、汲み上げ装置などの付加的な装置を必要としないため、装置の構造が簡単となり、製造および稼働コストを低減することができる。
【００２７】
給気用水フィルタ装置１０および給気浄化方法は、通気の際に水しぶき１７をあげるため、マイナスイオンを発生させることができる。マイナスイオンは、人体の免疫力や自然治癒力を高める効果等があるといわれており、室内に供給することにより居住者の健康に資することができる。
【００２８】
図３に示すように、給気用水フィルタ装置１０および給気浄化方法では、空気中の塵埃等を吸着した水しぶき１７が、フィルタ板１３によって遮られる。水しぶき１７に吸着されなかった空気中の塵埃等は、水しぶき１７がフィルタ板１３に当たって流れる水の膜に吸着させることができる。このため、図３（Ａ）に示すように、フィルタ板１３の複数の板材１３ａの間隙から、浄化した空気のみを給気口１４ｂ側へと通気させることができる。
【００２９】
給気用水フィルタ装置１０および給気浄化方法では、フィルタ板１３によって遮られた水しぶき１７が、塵埃等を吸着した状態でフィルタ板１３の縦方向に並んだ複数の板材１３ａをつたって水収容部１６の中へと流れる。このため、稼動中は、給気路１４の内部を常に浄化しておくことができる。水収容部１６の水を水抜き栓１１ｅから排水し、清浄水と入れ替えれば、吸着した塵埃等を水とともに給気路１４の内部から除去することができる。水収容部１６の水は、常に一定量の給水および排水を行うようにしても、所定時間ごとに入れ替えるようにしてもよい。
【００３０】
なお、図４に示すように、給気用水フィルタ装置１０は、回転羽根１９を有していてもよい。回転羽根１９は、給気路１４の内部の隔壁１２とフィルタ板１３との間に、回転軸１９ａを隔壁１２の下縁部と平行にして水面に沿わせるように設けられている。回転羽根１９の回転軸１９ａは、両端が本体１１の側面に固定されている。回転羽根１９は、一部を水面より下に配置して、間隙１８での通気により回転するようになっている。
【００３１】
この構成では、一部が水面下に配置された回転羽根１９が通気により回転するため、水しぶき１７があがりやすい。このため、水しぶき１７の量が増えて、空気中の塵埃等が水しぶき１７に吸着される可能性が高くなり、効率的に空気を浄化することができる。
【００３２】
図５および図６は、本発明の第２の実施の形態を示している。
図５に示すように、給気用水フィルタ装置３０は、本体３１と隔壁３２とフィルタ板３３とを有している。
【００３３】
図５に示すように、本体３１は、ステンレス製のほぼ直方体状の函体３１ａから成り、一つの側面の上部に吸気フード３１ｂを有し、４本の脚３１ｃにより支持されている。図５（Ｂ）に示すように、吸気フード３１ｂの先端には、防虫網３１ｄが取り付けられている。吸気フード３１ｂの側面から内部にかけて、防虫網３１ｄを洗浄するための防虫網洗浄用ノズル３１ｅが設けられ、吸気フード３１ｂの側面外部には、防虫網洗浄用給水バルブ３１ｆおよび防虫網洗浄用電磁弁３１ｇが設けられている。
【００３４】
吸気フード３１ｂを有する側面と対向する側面の上部には、給気ダクト接続部３１ｈが設けられている。図５（Ｂ）に示すように、本体３１の下部には、内部の水を排水するためのドレンパイプ３１ｉおよび排水用電磁弁３１ｊ、水位設定のためのオーバーフローパイプ３１ｋが設けられている。本体３１の給気ダクト接続部３１ｈ脇の側面には、内部に水を供給するための給水バルブ３１ｌおよび給水用電磁弁３１ｍが設けられている。本体３１の上面は、内部が点検できるように着脱可能になっている。
【００３５】
図５に示すように、本体３１は、内部に吸気フード３１ｂから給気ダクト接続部３１ｈまで連通する給気路３４を有している。給気路３４は、吸気フード３１ｂに吸気口３４ａを有し、給気ダクト接続部３１ｈに給気口３４ｂを有している。吸気口３４ａは、吸気フード３１ｂにより下側を向いている。給気ダクト接続部３１ｈには、ステンレス製の給気ダクト３５が取り付けられている。給気ダクト３５の内部には、給気ファンが取り付けられている。これにより、給気口３４ｂから吸引された空気は、給気ダクト３５の内部を通って室内に供給されるようになっている。
【００３６】
図５（Ｂ）に示すように、本体３１の内側底部には、水収容部３６が形成されている。水収容部３６は、給気路３４の内部で吸気口３４ａと給気口３４ｂとの間に配置されている。水収容部３６には、通常、水を所定の高さまで貯めておく。水収容部３６には、水が凍結しないように凍結防止ヒーター３６ａが設けられている。水は、給水バルブ３１ｌおよび給水用電磁弁３１ｍにより供給され、ドレンパイプ３１ｉおよび排水用電磁弁３１ｊにより排水される。また、オーバーフローパイプ３１ｋにより水位が設定される。
【００３７】
図５に示すように、隔壁３２は、ステンレス製の矩形の板から成り、給気路３４の内部で本体３１の上面に吊り下げられて固定されている。隔壁３２は、吸気口３４ａと給気口３４ｂとの間を遮るよう側面に対して平行に配置されている。隔壁３２と吸気口３４ａ側の側面との間には、通気可能な間隔が設けられている。隔壁３２は、上縁部および両側縁部が本体３１の内面に隙間がないよう密接して取り付けられている。隔壁３２は、その下縁部と水収容部３６に収容される水の水面との間に、水しぶきをあげて通気可能な間隙３８をあけて配置されている。
【００３８】
フィルタ板３３は、ステンレス製のバッフル型グリスフィルターから成り、複数の細長い板材を通気可能な間隔をあけて交互に配置して成っている。各板材は、断面がＣ字状をなしている。図５（Ａ）に示すように、フィルタ板３３は、複数の板材が縦方向にそれぞれ並列に取り付けられている。図５（Ｂ）に示すように、フィルタ板３３は、給気路３４の内部の間隙３８と給気口３４ｂとの間で、水収容部３６の上方に、給気路３４を遮断するように設けられている。フィルタ板３３は、上縁部が本体３１の上面の隔壁３２に近い位置に取り付けられ、下縁部が本体３１の側面の給気口３４ｂ下部に取り付けられて、傾斜して設けられている。フィルタ板３３は、間隙３８での通気により発生する水しぶきを遮るとともに、吸気口３４ａから給気口３４ｂへ通気することができるようになっている。なお、フィルタ板３３は、給水バルブ３１ｌおよび給水用電磁弁３１ｍにより、洗浄することができる。
【００３９】
次に、作用について説明する。
給気用水フィルタ装置３０は、屋外に設置され、給気口３４ｂが給気ダクト３５の一端に接続されている。給気ダクト３５は、他端が室内の換気口に接続されている。給気用水フィルタ装置３０は、給気ダクト３５内部の給気ファンを稼働させることにより稼働する。給気用水フィルタ装置３０は、吸気口３４ａから屋外の空気を吸引し、給気路３４、給気口３４ｂ、給気ダクト３５を通って室内に空気を供給する。
【００４０】
給気用水フィルタ装置３０および給気浄化方法は、隔壁３２と水収容部３６に収容される水の水面との間隙３８を、水しぶきをあげて通気させるため、空気中の塵埃等が水しぶきに吸着されて、空気を浄化することができる。また、水しぶきの間を通った空気が供給されるため、供給される空気の湿度を高めることができる。
【００４１】
給気用水フィルタ装置３０および給気浄化方法は、隔壁３２と水収容部３６に収容される水の水面との間に間隙３８があいている。このため、水中を通して空気を通気させる場合に比べて、空気の吸引力が弱くても容易に通気することができ、空気の吸引に用いるファンの電気代等の稼働コストを低減することができる。また、隔壁３２に空隙を設けるなどの複雑な加工や、汲み上げ装置などの付加的な装置を必要としないため、装置の構造が簡単となり、製造および稼働コストを低減することができる。
【００４２】
給気用水フィルタ装置３０および給気浄化方法は、通気の際に水しぶきをあげるため、マイナスイオンを発生させることができる。マイナスイオンは、人体の免疫力や自然治癒力を高める効果等があるといわれており、室内に供給することにより居住者の健康に資することができる。
【００４３】
給気用水フィルタ装置３０および給気浄化方法では、空気中の塵埃等を吸着した水しぶきが、フィルタ板３３によって遮られる。水しぶきに吸着されなかった空気中の塵埃等は、水しぶきがフィルタ板３３に当たって流れる水の膜に吸着させることができる。このため、フィルタ板３３の複数の板材の間隙から、浄化した空気のみを給気口３４ｂ側へと通気させることができる。
【００４４】
給気用水フィルタ装置３０および給気浄化方法では、フィルタ板３３によって遮られた水しぶきが、塵埃等を吸着した状態でフィルタ板３３の縦方向に並んだ複数の板材をつたって水収容部３６の中へと流れる。このため、稼動中は、給気路３４の内部を常に浄化しておくことができる。水収容部３６の水を排水し、清浄水と入れ替えれば、吸着した塵埃等を水とともに給気路３４の内部から除去することができる。水収容部３６の水は、常に一定量の給水および排水を行うようにしても、所定時間ごとに入れ替えるようにしてもよい。
【００４５】
給気用水フィルタ装置３０は、ドレンパイプ３１ｉおよび排水用電磁弁３１ｊにより、水収容部３６の水を排水することができる。また、オーバーフローパイプ３１ｋにより、水位を設定することができる。さらに、給水バルブ３１ｌおよび給水用電磁弁３１ｍにより、水収容部３６に水を供給するとともに、フィルタ板３３の洗浄を行うことができる。
【００４６】
給気用水フィルタ装置３０は、防虫網３１ｄにより、給気路３４に虫や大きい埃などが入り込まない。また、防虫網洗浄用ノズル３１ｅ、防虫網洗浄用給水バルブ３１ｆおよび防虫網洗浄用電磁弁３１ｇにより、防虫網３１ｄを洗浄することができる。
【００４７】
次に、図６を参照して、給気用水フィルタ装置３０の洗浄および水収容部３６の水の交換の処理手順について説明する。
洗浄および水の全交換を行う全交換モードの場合は、給気ファンを設定時間または手動により停止させる（ステップ５１）。排水用電磁弁３１ｊを開き、排水を開始する（ステップ５２）。排水が終了すると（ステップ５３）、防虫網洗浄用電磁弁３１ｇを開き、防虫網３１ｄの洗浄を開始する（ステップ５４）。一定時間経過後（ステップ５５）、防虫網洗浄用電磁弁３１ｇを閉じ、防虫網３１ｄの洗浄を終了する（ステップ５６）。給水用電磁弁３１ｍを開き、フィルタ板３３の洗浄を開始する（ステップ５７）。一定時間経過後（ステップ５８）、排水用電磁弁３１ｊを閉じ、給水を開始する（ステップ５９）。設定水位まで給水されると（ステップ６０）、給水用電磁弁３１ｍを閉じ、給水を終了する（ステップ６１）。このようにして、洗浄および水の全交換が完了し、給気用水フィルタ装置３０を運転することができる（ステップ６２）。
【００４８】
水の部分交換を行う小交換モードの場合は、給気ファンを設定時間または手動により停止させる（ステップ６３）。排水用電磁弁３１ｊを開き、排水を開始する（ステップ６４）。給水用電磁弁３１ｍを開き、フィルタ板３３の洗浄を開始する（ステップ６５）。一定時間経過後（ステップ６６）、排水用電磁弁３１ｊを閉じ、給水を開始する（ステップ６７）。設定水位まで給水されると（ステップ６８）、給水用電磁弁３１ｍを閉じ、給水を終了する（ステップ６９）。このようにして、水の部分交換が完了し、給気用水フィルタ装置３０を運転することができる（ステップ７０）。
【００４９】
防虫網３１ｄの洗浄を行う網洗浄モードの場合は、給気ファンを設定時間または手動により停止させる（ステップ７１）。防虫網洗浄用電磁弁３１ｇを開き、防虫網３１ｄの洗浄を開始する（ステップ７２）。一定時間経過後（ステップ７３）、防虫網洗浄用電磁弁３１ｇを閉じ、防虫網３１ｄの洗浄を終了する（ステップ７４）。このようにして、防虫網３１ｄの洗浄が完了し、給気用水フィルタ装置３０を運転することができる（ステップ７５）。
【００５０】
給気用水フィルタ装置３０では、コンピュータ等に接続し、制御することにより、全交換モード、小交換モードおよび網洗浄モードを全て自動で行うことができる。この場合、図６に示すように、あらかじめ時間を設定して各モードを実行することができる。これにより、給気用水フィルタ装置３０は、常に清潔な状態に保たれるため、長期間性能を維持し、寿命を延ばすことができる。
【００５１】
【発明の効果】
本発明によれば、構造が簡単で、製造および稼働コストを低減することができる給気用水フィルタ装置および給気浄化方法を提供することができる。
【図面の簡単な説明】
【図１】本発明の第１の実施の形態の給気用水フィルタ装置の（Ａ）一部を切り欠いた平面図、（Ｂ）縦断面図である。
【図２】図１の給気用水フィルタ装置の稼働状態を示す縦断面図である。
【図３】図１の給気用水フィルタ装置のフィルタ板の（Ａ）拡大平面図、（Ｂ）部分斜視図である。
【図４】図１の給気用水フィルタ装置の回転羽根を設けた変形例の稼働状態を示す縦断面図である。
【図５】本発明の第２の実施の形態の給気用水フィルタ装置の（Ａ）一部を切り欠いた横断面図、（Ｂ）縦断面図である。
【図６】図５の給気用水フィルタ装置の洗浄および水の交換の処理手順を示すフローチャートである。
【符号の説明】
１０  給気用水フィルタ
１１  本体
１１ａ  函体
１１ｂ  吸気フード
１１ｃ  脚
１１ｄ  給気ダクト接続部
１２  隔壁
１３  フィルタ板
１３ａ  板材
１４  給気路
１４ａ  吸気口
１４ｂ  給気口
１５  給気ダクト
１６  水収容部
１７  水しぶき
１８  間隙
１９  回転羽根
【図１】
2004190932.tif 000003
【図２】
2004190932.tif 000004
【図３】
2004190932.tif 000005
【図４】
2004190932.tif 000006
【図５】
2004190932.tif 000007
【図６】
2004190932.tif 000008